(57)【特許請求の範囲】
【請求項１】
一端がマストの先端部左右に係止されたペンダントケーブルと、該ペンダントケーブルの他端に連結され且つブーム側へ開口するねじ孔を有するクレビスと、ブームの長手方向中間部分の背面左右に係止され且つマスト側に開口するねじ孔を有するリンクと、一端寄りのねじ部がクレビスのねじ孔に螺合し且つ他端寄りのねじ部がリンクのねじ孔に螺合するロッドと、両端がペンダントケーブル径方向に略水平に延び且つ中間部分が下方へ屈曲したスプレッダとを備え、各ロッドの一方のねじ部とそれに螺合するねじ孔とを右ねじ構造に且つ各ロッドの他方のねじ部とそれに螺合するねじ孔とを左ねじ構造とし、クレビスにペンダントケーブル径方向に略水平に延びる孔を設け、一方のクレビスの孔にスプレッダの一端部を周方向に揺動し得るように挿入し且つ他方のクレビスの孔にスプレッダの他端部を周方向に揺動し得るように挿入した中吊ペンダント装置であって、前記スプレッダを、一端の上部水平部分がクレビスの孔に周方向に揺動し得るように挿入され且つ他端の下部水平部分がクレビスの下方側に位置する左右のステイと、ペンダントケーブル径方向に略水平に延び且つ左右のステイを連結するバーとによって形成したことを特徴とする中吊ペンダント装置。
【請求項２】
円筒状のローラをスプレッダのバーに回転可能に外嵌させた請求項１に記載の中吊ペンダント装置。
【発明の詳細な説明】
【０００１】
【発明の属する技術分野】
本発明は長尺のブームを装備したクレーンに用いる中吊ペンダント装置に関するものである。
【０００２】
【従来の技術】
図５はクローラクレーンの一例であり、このクローラクレーンは、自走可能な下部走行体１と、該下部走行体１に旋回可能に搭載した上部旋回体２と、該上部旋回体２の前部に起伏可能に設けたブーム３及び門型のマスト４と、上部旋回体２の後部に設けたＡフレーム５と、上部旋回体２の後部に搭載の起伏用ドラム（図示せず）より繰り出され且つＡフレーム５のイコライザシーブ６及びマスト４のイコライザシーブ７に巻き掛けた起伏用ロープ８と、一端がマスト４の先端部に連結され且つ他端がブーム３の先端部に連結されたペンダント装置９とを備えており、起伏用ドラムへ起伏用ロープ８を巻き取ると、マスト４の角度変化に追従してブーム３の起立角度が大きくなり、起伏用ドラムから起伏用ロープ８を繰り出すと、マスト４の角度変化に追従してブーム３の起立角度が小さくなる。
【０００３】
ブーム３は、上部旋回体２に枢支した基端ブーム３ａと、該基端ブーム３ａに順次一列に連結した複数の中間ブーム３ｂと、最前端に位置する中間ブーム３ｂに連結した先端ブーム３ｃとで構成され、また、ペンダント装置９は、直列に連結した複数のペンダントケーブル１０で構成されており、中間ブーム３ｂ及びペンダントケーブル１０の数を適宜増減することによって、ブーム３の有効長を調整できるようになっている。
【０００４】
更に、中間ブーム３ｂの数が多く、ブーム３が長大である場合には、マスト４の先端部とブーム３の中間部分に位置する所定の中間ブーム３ｂとを中吊ペンダント装置１１により連結し、当該中吊ペンダント装置１１によって、ペンダント装置９に作用する張力の緩和を図り、ブーム３中間部分の自重による変形を抑制している。
【０００５】
中吊ペンダント装置１１は、図６及び図７に示すように、一端がマスト４の先端部左右にピン１２を介して係止された２本のペンダントケーブル１３と、各ペンダントケーブル１３の他端にピン１４を介して連結され且つブーム３側へ開口するねじ孔１５を有するクレビス１６と、中間ブーム３ｂの背面（マスト４に対峙する面）左右にピン１７を介して係止され且つマスト４側に開口するねじ孔１８を有する二股のリンク１９と、一端寄りのねじ部２０ａがクレビス１６のねじ孔１５に螺合し且つ他端寄りのねじ部２０ｂがリンク１９のねじ孔１８に螺合するロッド２０とを備え、各ロッド２０の一方のねじ部２０ａとそれに螺合するクレビス１６のねじ孔１５とを右ねじ構造に且つ各ロッド２０の他方のねじ部２０ｂとそれに螺合するリンク１９のねじ孔１８とを左ねじ構造にしている。
【０００６】
この中吊ペンダント装置１１では、ロッド２０を周方向へ回動させると、ねじ部２０ａ，２０ｂとねじ孔１５，１８との螺合量が増加あるいは減少し、中吊ペンダント装置１１の有効長を、各中間ブーム３ｂの実際の長さに対応するように微調整できる。
【０００７】
なお、上記のペンダントケーブル１３は、複数に分割されている場合もある。
【０００８】
【発明が解決しようとする課題】
しかしながら、図６及び図７に示す中吊ペンダント装置１１では、ペンダントケーブル１３が長いため、振動などによりペンダントケーブル１３にねじれが生じると、クレビス１６がロッド２０に対して周方向に回動し、これにより、ねじ孔１５，１８とねじ部２０ａ，２０ｂとの螺合量が減少して、中吊ペンダント装置１１の有効長が予期しないうちに変化することがある。
【０００９】
本発明は上述した実情に鑑みてなしたもので、予期しない有効長の変化を防止できる中吊ペンダント装置を提供することを目的としている。
【００１０】
【課題を解決するための手段】
上記目的を達成するため、請求項１に記載の発明では、一端がマストの先端部左右に係止されたペンダントケーブルと、該ペンダントケーブルの他端に連結され且つブーム側へ開口するねじ孔を有するクレビスと、ブームの長手方向中間部分の背面左右に係止され且つマスト側に開口するねじ孔を有するリンクと、一端寄りのねじ部がクレビスのねじ孔に螺合し且つ他端寄りのねじ部がリンクのねじ孔に螺合するロッドと、両端がペンダントケーブル径方向に略水平に延び且つ中間部分が下方へ屈曲したスプレッダとを備え、各ロッドの一方のねじ部とそれに螺合するねじ孔とを右ねじ構造に且つ各ロッドの他方のねじ部とそれに螺合するねじ孔とを左ねじ構造とし、クレビスにペンダントケーブル径方向に略水平に延びる孔を設け、一方のクレビスの孔にスプレッダの一端部を周方向に揺動し得るように挿入し且つ他方のクレビスの孔にスプレッダの他端部を周方向に揺動し得るように挿入した中吊ペンダント装置であって、前記スプレッダを、一端の上部水平部分がクレビスの孔に周方向に揺動し得るように挿入され且つ他端の下部水平部分がクレビスの下方側に位置する左右のステイと、ペンダントケーブル径方向に略水平に延び且つ左右のステイを連結するバーとによって形成している。
【００１２】
本発明の請求項２に記載の発明では、円筒状のローラをスプレッダのバーに回転可能に外嵌させている。
【００１３】
本発明の請求項１及び請求項２に記載の中吊ペンダント装置のいずれにおいても、両端部が各クレビスの孔に挿入されたスプレッダによって、ペンダントケーブルのねじれに起因したロッドに対するクレビスの周方向への回動を抑止する。
【００１４】
また、クレビスの孔に対するスプレッダの端部の周方向への揺動を許容して、当該スプレッダの中間部分を、ブームの起立角度に影響されることなく、常時クレビスの下方に位置させ、ブームの基端部と先端部との間に張設される昇降用ロープとスプレッダとの干渉を回避する。
【００１５】
更に、スプレッダを、左右のステイと該ステイを連結するバーとに分割して、クレビスに対するスプレッダの取り付けの容易化を図る。
【００１６】
本発明の請求項２に記載の中吊ペンダント装置においては、ブームを略水平にした際に、ブームの長手方向中間部分に位置するローラによって、昇降用ロープを支持する。
【００１７】
【発明の実施の形態】
以下、本発明の実施の形態を、図示例と共に説明する。
【００１８】
図１乃至図４は本発明の中吊ペンダント装置の実施の形態の一例を示すものであり、図中、図５乃至図７と同一の符号を付したものは、同一物を表している。
【００１９】
中吊ペンダント装置２１は、一端がマスト４の先端部左右に係止された２本のペンダントケーブル１３と、各ペンダントケーブル１３の他端に連結され且つブーム３側へ開口するねじ孔２２を有するクレビス２３と、ブーム３の長手方向中間部分の背面左右に係止され且つマスト４側に開口するねじ孔１８を有する二股のリンク１９と、一端寄りのねじ部２０ａがクレビス２３のねじ孔２２に螺合し且つ他端寄りのねじ部２０ｂがリンク１９のねじ孔１８に螺合するロッド２０と、スプレッダ２７及びローラ２８を備えている。
【００２０】
各クレビス２３，２３には、ペンダントケーブル１３径方向に略水平に延びる孔２４が設けられている。
【００２１】
スプレッダ２７は、一端の上部水平部分が前記の孔２４に周方向に揺動し得るように挿入され且つ他端の下部水平部分がクレビス２３の下方側に位置する略稲妻型の左右のステイ２５，２５と、ペンダントケーブル１３径方向に略水平に延び且つ左右のステイ２５，２５の下端水平部分を連結する管状のバー２６とによって形成されている。
【００２２】
更に、ローラ２８は、スプレッダ２７のバー２６に対して回転可能に外嵌されている。
【００２３】
図１乃至図４に示す中吊ペンダント装置２１においては、左右のステイ２５，２５の上部両端水平部が各クレビス２３の孔２４に挿入されたスプレッダ２７によって、ペンダントケーブル１３のねじれに起因したロッド２０に対するクレビス２３の周方向回動を抑止する。
【００２４】
また、クレビス２３の孔２４に対するスプレッダ２７の左右各ステイ２５，２５の上部水平部分の周方向への揺動を許容して、当該スプレッダ２７の中間部分のバー２６を、ブーム３の起立角度に影響されることなく、常時クレビス２３の下方に位置させ、ブーム３の基端部と先端部との間に張設される昇降用ロープ２９とスプレッダ２７との干渉を回避し、ブーム３を略水平にした際には、スプレッダ２７のバー２６に外嵌するローラ２８によって、昇降用ロープ２９を支持する。
【００２５】
このように、図１乃至図４に示す中吊ペンダント装置２１においては、左右のクレビス２３をスプレッダ２７により連結して、ペンダントケーブル１３のねじれに起因したロッド２０に対するクレビス２３の回動を抑止するので、クレビス２３のねじ孔２２とロッド２０のねじ部２０ａとの螺合量が減少して中吊ペンダント装置２１の有効長が予期しないうちに変化することを防止できる。
【００２６】
また、ロッド２０を回動させて中吊ペンダント装置２１の長さ調整を行なう際に、スプレッダ２７によってクレビス２３の回動が抑止されるので、ペンダントケーブル１３にねじれが生じない。
【００２７】
更に、スプレッダ２７を、左右のステイ２５と該ステイ２５を連結するバー２６とに分割したので、クレビス２３に対するスプレッダ２７の取り付けが容易にできる。
【００２８】
なお、本発明の中吊ペンダント装置は上述した実施の形態のみに限定されるものではなく、ペンダントケーブル及びスプレッダの数を増すこと、その他、本発明の要旨を逸脱しない範囲内において種々変更を加え得ることは勿論である。
【００２９】
【発明の効果】
以上述べたように、本発明の中吊ペンダント装置によれば、下記のような種々の優れた効果を奏し得る。
【００３０】
（１）本発明の請求項１及び請求項２に記載の中吊ペンダント装置のいずれにおいても、両端部が各クレビスの孔に挿入されたスプレッダによって、ペンダントケーブルのねじれに起因したロッドに対するクレビスの周方向への回動を抑止するので、予期しない有効長の変化を防止することができる。
【００３１】
（２）また、クレビスの孔に対するスプレッダの端部の周方向への揺動を許容して、当該スプレッダの中間部分を、ブームの起立角度に影響されることなく、常時クレビスの下方に位置させるので、ブームの基端部と先端部との間に張設される昇降用ロープとスプレッダとの干渉を回避することができる。
【００３２】
（３）更に、スプレッダによってクレビスの回動が抑止されるので、ロッドを回動させて中吊ペンダント装置の長さ調整を行なう際に、ペンダントケーブルにねじれが生じることを防止できる。
【００３３】
（４）これに加えて、スプレッダを、左右のステイと該ステイを連結するバーとに分割しているので、クレビスに対するスプレッダの取り付けを容易に行なうことができる。
【００３４】
（５）本発明の請求項２に記載の中吊ペンダント装置においては、ブームを略水平にした際に、ブームの長手方向中間部分に位置するローラによって、昇降用ロープを支持するので、摺動によるスプレッダ及び昇降用ロープの損傷を抑制することができる。
【図面の簡単な説明】
【図１】本発明の中吊ペンダント装置の実施の形態の一例を示す側面図である。
【図２】図１のＩＩ−ＩＩ矢視図である。
【図３】図１の中吊ペンダント装置に関連するスプレッダの正面図である。
【図４】本発明の中吊ペンダント装置の実施の形態の一例を適用したクローラクレーンの側面図である。
【図５】従来のクローラクレーンの一例を示す側面図である。
【図６】図５に関連する中吊ペンダント装置の一例の側面図である。
【図７】図６のＶＩＩ−ＶＩＩ矢視図である。
【符号の説明】
３          ブーム
４          マスト
１８          ねじ孔
１９          リンク
２０          ロッド
２０ａ        ねじ部
２０ｂ        ねじ部
２２          ねじ孔
２３          クレビス
２４          孔
２５          ステイ
２６          バー
２７          スプレッダ
２８          ローラ
【図１】
0004149061.tif 000002
【図２】
0004149061.tif 000003
【図３】
0004149061.tif 000004
【図４】
0004149061.tif 000005
【図５】
0004149061.tif 000006
【図６】
0004149061.tif 000007
【図７】
0004149061.tif 000008